(57)【特許請求の範囲】
【請求項１】
空気清浄機能付き照明装置であって、
前記装置の中心軸上に配置される駆動モータの回転駆動により送風可能なファンと、
吸気口と排気口との間に通風路を形成した略筒形状のケース部と、
前記ケース部において、前記ファンの吸気側または排気側に設けられ、前記ファンの送風により空気清浄を行う、少なくともグリスフィルタ及び脱臭フィルタを含み、該グリスフィルタ及び該脱臭フィルタのそれぞれが単独で前記装置に着脱可能なフィルタと、
前記ケース部の周囲に設けられた照明部と、
前記ケース部および前記照明部を収容するとともに、前記ケース部の吸気側に開口部を備えるシェードと、
前記シェードの前記開口部を覆う状態で着脱可能に取り付けられ、前記ケース部の前記吸気口へ連通する通気部を備える光透過性の底面カバーと、を有し、
前記照明部は、前記シェードと前記ケース部と前記底面カバーとで囲まれる空間に収容されるように構成され、
前記フィルタのうち、前記グリスフィルタが最も上流側に設けられるように構成される
ようにしたことを特徴とする空気清浄機能付き照明装置。
【請求項２】
前記底面カバーは、中央部に形成された前記通気部から下方に向かって拡径し、且つ、前記照明部を収容する空間に向かって径方向断面略凸形状に形成され、前記通気部と外周部の中間部分で、前記照明部の近傍に、該照明部に対して所定距離を確保する段部を有することを特徴とする請求項１に記載の空気清浄機能付き照明装置。
【請求項３】
前記底面カバーは、その外周部が前記シェードの内面に当接していることを特徴とする請求項１または請求項２に記載の空気清浄機能付き照明装置。
【請求項４】
前記底面カバーの通気部の吸気側に配置された整流板を有し、
前記整流板と前記底面カバーとの間に吸入流路が形成されていることを特徴とする請求項１から請求項３のいずれかに記載の空気清浄機能付き照明装置。
【請求項５】
前記整流板は、底面視で前記底面カバーの底面視と略相似形状に形成されていることを特徴とする請求項４に記載の空気清浄機能付き照明装置。
【請求項６】
前記底面カバーと前記シェードと前記ケース部とで囲まれる空間に設けられたリモートコントローラ用受光部と、
前記リモートコントローラ用受光部で受信した信号に基づいて、前記ファンの回転駆動処理または前記照明部の照明処理を行う制御部と、を有することを特徴とする請求項１から請求項５のいずれかに記載の空気清浄機能付き照明装置。
【請求項７】
天井に直接、または、天井から吊下げた状態で該天井に対して間隔をあけて設置され、
前記ケース部の吸気口が下側に配置されていることを特徴とする請求項１から請求項６のいずれかに記載の空気清浄機能付き照明装置。
【発明の詳細な説明】
【技術分野】
【０００１】
本発明は、空気清浄機能付き照明装置に関する。
【背景技術】
【０００２】
卓上での調理により発生する油煙や、喫煙による煙などを浄化する空気清浄機能付き照明装置が知られている（例えば、特許文献１参照）。この空気清浄機能付き照明装置は、天井に直接または吊下げた状態で設置され、卓上調理や喫煙などにより発生した煙を、内蔵する送風機により捕集し、ガス浄化材等のフィルタで浄化し、浄化した空気を室内に吹き出す。
上記特許文献１に記載の空気清浄機能付き照明装置は、照明ランプと空気吸入口の間に光透過性の隔壁を備える。
【先行技術文献】
【特許文献】
【０００３】
【特許文献１】特開平１０−２４１４５５号公報
【発明の概要】
【発明が解決しようとする課題】
【０００４】
しかし、特許文献１に記載の空気清浄機能付き照明装置では、光透過性の隔壁が煙などにより汚れた場合、メンテナンス性が悪いという問題点を持っていた。
【０００５】
詳細には、卓上の調理等により発生した油煙は油脂分や水分、埃など汚れの原因となる物質を含んでいるが、油煙を吸引する過程において隔壁と接触するため、隔壁の表面に油脂分や水分、埃といった物質が付着し、隔壁が汚れることとなる。
隔壁が汚れると、清潔性の悪化のみならず、照明装置としての照明能力の低下、光透過量のアンバランスによるデザイン性の低下、など各種問題を引き起こすこととなる。
【０００６】
上記特許文献１に記載の空気清浄機能付き照明装置は、天井部に直付けまたは天井から吊下げられた状態で比較的高い位置に設置されているので、隔壁の拭き掃除を行う場合、隔壁に手が届きにくく、無理な体勢で清掃を行うことを要する。
【０００７】
本発明は、上述した問題に鑑みてなされたもので、簡単な構成で、良好なメンテナンス性を有する空気清浄機能付き照明装置を提供すること、などを目的とする。
【課題を解決するための手段】
【０００８】
本発明の空気清浄機能付き照明装置は、前記装置の中心軸上に配置される駆動モータの回転駆動により送風可能なファンと、吸気口と排気口との間に通風路を形成した略筒形状のケース部と、前記ケース部において、前記ファンの吸気側または排気側に設けられ、前記ファンの送風により空気清浄を行う、少なくともグリスフィルタ及び脱臭フィルタを含み、該グリスフィルタ及び該脱臭フィルタのそれぞれが単独で前記装置に着脱可能なフィルタと、前記ケース部の周囲に設けられた照明部と、前記ケース部および前記照明部を収容するとともに、前記ケース部の吸気側に開口部を備えるシェードと、前記シェードの前記開口部を覆う状態で着脱可能に取り付けられ、前記ケース部の前記吸気口へ連通する通気部を備える光透過性の底面カバーと、を有し、前記照明部は、前記シェードと前記ケース部と前記底面カバーとで囲まれる空間に収容されるように構成され、前記フィルタのうち、前記グリスフィルタが最も上流側に設けられるように構成されるようにしたことを特徴とする。
上記本発明の空気清浄機能付き照明装置は、底面カバーが、シェードの開口部を覆う状態で着脱可能に設けられているので、良好なメンテナンス性を有する。
また、本発明の空気清浄機能付き照明装置は、照明部が、シェードとケース部と底面カバーとで囲まれる空間に収容されるように構成されており、底面カバーにより照明部と吸入流路とを分離した構造となっている。このため、汚染空気が照明部に接触することなく、底面カバーの通気部、ケース部の吸気口、およびフィルタを介して、ケース部の排気口から照明装置の外部に排出される。
【発明の効果】
【０００９】
本発明によれば、良好なメンテナンス性を有する空気清浄機能付き照明装置を提供することができる。
【図面の簡単な説明】
【００１０】
【図１】本発明の実施形態に係る空気清浄機能付き照明装置の一例を示す全体概念図。
【図２】本発明の実施形態に係る空気清浄機能付き照明装置の断面図。
【図３】本発明の実施形態に係る空気清浄機能付き照明装置の分解断面図。
【図４】図２に示した空気清浄機能付き照明装置の斜視図。
【図５】本発明の他の実施形態に係る空気清浄機能付き照明装置の断面図。
【図６】図５に示した空気清浄機能付き照明装置の斜視図。
【図７】本発明の他の実施形態に係る空気清浄機能付き照明装置の斜視図。
【図８】図７に示した空気清浄機能付き照明装置の断面図。
【図９】図７に示した空気清浄機能付き照明装置の分解斜視図。
【発明を実施するための形態】
【００１１】
以下、本発明の実施形態に係る空気清浄機能付き照明装置１００を説明する。
図１は、本発明の実施形態に係る空気清浄機能付き照明装置１００の一例を示す全体概図である。
【００１２】
図１に示したように、空気清浄機能付き照明装置１００は、天井７０１や壁などの取付面７０２に直接、または、天井７０１から吊下げた状態で天井７０１に対して間隔をあけて設置される。照明装置１００は、卓上調理や喫煙などにより発生した湯気や煙などを、内蔵するファンにより捕集し、清浄フィルタにより浄化して、浄化した空気を室内７０５に吹き出す。
照明装置１００は、リモートコントローラ７０８からの制御信号を受信し、その制御信号に基づいて、ファンの回転や停止、照明部の点灯や消灯などを行う。このリモートコントローラ７０８は、赤外線や電波などの無線により制御信号を送信する。本実施形態では、リモートコントローラ７０８は、赤外線を搬送波として所定の変調方式により制御信号を送信する。
【００１３】
＜照明装置１００の構成＞
図２は本発明の実施形態に係る空気清浄機能付き照明装置１００の断面図、図３は図２に示した空気清浄機能付き照明装置１００の分解断面図、図４は図２に示した空気清浄機能付き照明装置１００の斜視図である。
【００１４】
照明装置１００は、図２、図３、図４に示したように、照明部１０と、シェード（傘部）２０と、ファン（送風機）３０と、フィルタ４０と、ケース部５０と、底面カバー６０と、排気方向調整部７０と、制御部９０と、リモートコントローラ用受光部９１と、などを有する。以下、照明装置１００の各構成要素について説明する。
【００１５】
＜照明部１０＞
照明部１０は、略筒形状のケース部５０の周囲に設けられている。照明部１０としては、蛍光灯、ＬＥＤ（発光ダイオード）、発光素子などを採用することができる。本実施形態では、照明部１０はリング状の蛍光灯を採用している。この照明部１０は、図２、図３に示したように、ばねなどの弾性体で形成された支持部材５４により、ケース部５０の下部付近に固定される。
【００１６】
＜ケース部５０＞
ケース部５０は、略筒形状に形成され、吸気口５０ａと排気口５０ｂとの間に通風路５０ｃが形成されている。本実施形態では、ケース部５０は、下部に吸気口５０ａ、上部に排気口５０ｂが位置するように配置されている。
本実施形態では、ケース部５０は、略筒形状のフィルタ収容ケース部５１と、略筒形状のファン収容ケース部５２とを有し、このフィルタ収容ケース部５１と、略筒形状のファン収容ケース部５２とが係合して一体となるように構成されている。
フィルタ収容ケース部５１は、ファン収容ケース部５２の下側に配置され、フィルタ４０を備えている。フィルタ収容ケース部５１は、大径の吸気口５０ａと、小径の排気口５１ｂを有する。
ファン収容ケース部５２は、フィルタ収容ケース部５１の上部に配置されており、ファンを収容するとともに、ファン３０の駆動モータ３２を支持している。詳細には、ファン収容ケース部５２は、筒状本体部５２ａと、その筒状本体部５２ａから上方（吸気方向と反対方向）に突出した形状の突出部５２ｂとを有する。筒状本体部５２ａの下端部は、フィルタ収容ケース部５１の外周上端近傍に係合するように構成されている。
突出部５２ｂは断面錐台形状に形成されており、傾斜面や垂直面などに形成された側面部５２ｃにスリット状の排気口５０ｂが設けられている。突出部５２ｂの上部には平坦面５２ｄが形成され、平坦面５２ｄの中央部にファン３０の駆動モータ３２が固定されている。また、突出部５２ｂの中央部の平坦面５２ｄには、電源コード９５や吊り下げ支持部材などが、固定部材９６により固定されている。
【００１７】
＜フィルタ４０＞
フィルタ４０は、筒形状のケース部５０において、ファン３０の吸気側または排気側に設けられ、ファン３０の送風により空気清浄を行う。本実施形態では、フィルタ４０はファン３０の吸気側に配置されている。
【００１８】
フィルタ４０としては、詳細には、グリスフィルタ４１、脱煙フィルタ４２、脱臭フィルタ４３、除湿フィルタなどを採用することができる。
【００１９】
グリスフィルタ４１は、金属や樹脂に多数の孔を設けたパンチングタイプ、カットベンドタイプ、ラス網などの網目状タイプ、不織布タイプなどを採用することができる。本実施形態では、図２、図３、図４に示したように、多数の孔部を備えるパンチングタイプのグリスフィルタ４１を採用する。グリスフィルタ４１は、汚染空気が通り抜けるとき、汚染空気中に含まれている油脂分がグリスフィルタ４１に衝突や接触によって付着することで、汚染空気から油脂分を分離除去する。グリスフィルタ４１は、ケース部５０の吸気側に着脱自在に取り付けられている。
【００２０】
脱煙フィルタ４２は、準HEPA（High Efficiency Particulate Air）フィルタなどを用いることで煙を除去する。本実施形態では、脱煙フィルタ４２は、ケース部５０内で、ファン３０の吸気側に設けられている。
【００２１】
脱臭フィルタ４３は、活性炭などを内蔵し、空気が通り抜けるとき、空気中に含まれている臭いを吸着することで、空気から臭いを分離除去する。本実施形態では、脱煙フィルタ４２は、ケース部５０内で、ファン３０の吸気側に設けられている。なお、脱煙フィルタ４２及び脱臭フィルタ４３は、消臭剤がコーティングされており、付着した臭気成分を消臭する。
【００２２】
脱煙フィルタ４２、脱臭フィルタ４３は、ケース部５０のフィルタ収容ケース部５１内に配置され、吸気側から着脱自在に構成されている。脱煙フィルタ４２、脱臭フィルタ４３は、止めネジ（不図示）などによりケース部５０内に固定可能に構成されている。
【００２３】
＜ファン３０＞
ファン３０（送風機）は、回転駆動により送風可能に構成されている。本実施形態では、ファン３０として、シロッコファンを採用している。ファン３０は、図２、図３に示したように、ケーシング３１と、駆動モータ３２と、多翼ファン（シロッコファン）３３と、を有する。
ケーシング３１は、フィルタ収容ケース部５１の小径の排気口５１ｂに連通する吸気口３１ａと、略水平方向に排気を行う排気口３１ｂとを有する。本実施形態では、吸気口３１ａがベルマウス形状に形成されている。また、ケーシング３１は、ケース部５０に固定されている。ケーシング３１内には、駆動モータ３２が配置されるとともに、駆動モータ３２により軸支された多翼ファン（シロッコファン）３３が回転自在に配置されている。
【００２４】
＜シェード２０＞
シェード２０は、照明部１０やケース部５０などを収容するとともに、ケース部５０の吸気側に開口部２０ａを有する。シェード２０は、金属や樹脂などの規定材料により形成されている。また、シェード２０は、必要に応じて、光透過性部材や光半透過性部材により形成されていてもよい。後述するように、シェード２０の下部の底面の開口部２０ａを覆う状態で、底面カバー６０が着脱可能に取り付けられる。
【００２５】
また、シェード２０は、上部に開口部２０ｂを有し、開口部２０ｂの縁部近傍に、ケース部５０の上部に固定される固定部２０ｃを有する。
本実施形態では、シェード２０の下部の開口部２０ａは、上部の開口部２０ｂよりも大径に形成されている。また、本実施形態では、シェード２０は、上部に平坦部２０ｄが形成され、平坦部２０ｄから下方に向かって拡径した形状に形成されている。シェード２０は、図２、図３に示した例では、略円錐台形状に形成されているが、この形態に限られるものではなく、略円筒形状、略直方体形状、多角筒形状、略球形状、など所望の形状であってもよい。
【００２６】
本実施形態では、シェード２０の上部に形成された開口部２０ｂから、ファン収容ケース部５２の突出部５２ｂが上方に向かって突出し、傾斜面や垂直面などに形成された側面部５２ｃに形成された排気口５０ｂから、浄化された空気が排気される。
この際、図２、図３に示したように、突出部５２ｂに形成された排気口５０ｂの上端に、径方向外側に向かって延出した形状の排気方向調整部７０が形成されていてもよい。排気方向調整部７０は、排気方向を略水平方向など所望方向に調整する。
空気清浄機能付き照明装置１００は、上記排気方向調整部７０を有するので、排気による天井７０１の汚れが小さい。
【００２７】
＜底面カバー６０＞
底面カバー６０は、シェード２０の開口部２０ｂを覆う状態で着脱可能に取り付けられる。また、底面カバー６０は、ケース部５０の吸気口５０ａへ連通する通気部６０ａとしての開口部を備える。この底面カバー６０は、光透過性や半光透過性の材料により形成されている。このため、照明部１０から射出した光が、底面カバー６０を介して照明装置１００の外部に射出可能となっている。
照明部１０は、シェード２０とケース部５０と底面カバー６０とで囲まれる空間（照明部１０の収容空間２１０）に収容されるように構成されている。
【００２８】
また、底面カバー６０は、ケース部５０やシェード２０に対して着脱自在に固定する構造を有する。本実施形態では、底面カバー６０は、通気部６０ａとしての開口部に、ケース部５０側に突出した突出部６０ｆと、通気部６０ａの近傍に設けられた平坦部６０ｅに、ケース部５０側に突出した係合部６０ｄとを有する。
ケース部５０は、図２、図３に示したように、下部のフランジ部５０ｅに、底面カバー６０の係合部６０ｄを係合する被係合部５０ｄが形成されている。
ケース部５０の被係合部５０ｄと、底面カバー６０の係合部６０ｄとが係合することで、底面カバー６０がケース部５０に着脱自在に取付けられる。
【００２９】
また、底面カバー６０は、ケース部５０などに取り付けられた状態で、その外周部６０ｂがシェード２０の内面２０ｆに当接するように構成されている。
【００３０】
底面カバー６０は、詳細には、図２、図３に示したように、中央部に形成された通気部６０ａから下方に向かって拡径した形状に形成されている。また、底面カバー６０は、照明部１０を収容する空間（収容空間２１０）に向かって径方向断面略凸形状に形成されている。このように、底面カバー６０は、汚染空気に対して高い捕集効率を有する形状に形成されている。
【００３１】
また、図２、図３に示したように、底面カバー６０は、中央部に形成された通気部６０ａと外周部６０ｂの中間部分で、照明部１０の近傍に、その照明部１０に対して所定距離を確保する段部６０ｃを有する。段部６０ｃは、周方向に沿って全周に渡って形成されていてもよい。また、底面カバー６０は、１つの平坦面により構成される段部６０ｃを備えていてもよいし、複数の平坦面により構成される多段部を有していてもよい。
【００３２】
＜リモートコントローラ用受光部９１＞
リモートコントローラ用受光部９１は、底面カバー６０とシェード２０とケース部５０とで囲まれる空間、本実施形態では照明部１０の収容空間２１０に設けられている。詳細には、図２に示したように、ケース部５０の下端の外周端部に設けられたフランジ部５０ｅにリモートコントローラ用受光部９１が設けられている。リモートコントローラ用受光部９１は上記位置に配置されており、油煙などの汚染空気が直接接触しないので、汚染空気などによる汚れが少ない。
【００３３】
本実施形態では、赤外線方式のリモートコントローラ７０８を採用した場合、底面カバー６０は赤外線を透過する材料により形成される。尚、規定の波長の無線信号を利用したリモートコントローラ７０８を採用した場合、底面カバー６０は、その規定の波長の無線信号を透過する材料により形成する。
【００３４】
また、図１に示したように、空気清浄機能付き照明装置１００の下方（底面側）にリモートコントローラ７０８が位置した状態で、リモートコントローラ７０８から制御信号を含む無線信号を送信した場合、その無線信号を受信できる位置に、リモートコントローラ用受光部９１がケース部５０に固定されている。
【００３５】
制御部９０は、空気清浄機能付き照明装置１００のファン３０や照明部１０などの構成要素を統括して制御する。制御部９０は、図２に示したように、ケース部５０の外周部付近などに固定されている。
制御部９０は、リモートコントローラ用受光部９１で受信した信号に基づいて、ファン３０の駆動モータ３２の回転や停止などの回転駆動処理、照明部１０の点灯や消灯などの照明処理を行う。
【００３６】
＜空気清浄機能付き照明装置１００の動作＞
次に、空気清浄機能付き照明装置１００の動作を説明する。
ユーザがリモートコントローラ７０８を操作して、リモートコントローラ７０８から空気清浄機能付き照明装置１００の照明部１０を点灯または消灯させる制御信号を送信した場合、制御部９０は、底面カバー６０を介して、リモートコントローラ用受光部９１でその制御信号を受信すると、照明部１０を点灯または消灯させる処理を行う。
【００３７】
ユーザがリモートコントローラ７０８を操作して、リモートコントローラ７０８から空気清浄機能付き照明装置１００のファン３０をオンまたはオフにする制御信号を送信した場合、制御部９０は、底面カバー６０を介して、リモートコントローラ用受光部９１でその制御信号を受信すると、ファン３０の駆動モータ３２の回転や停止などの回転駆動処理を行う。
【００３８】
空気清浄機能付き照明装置１００は、ファン３０の駆動モータ３２がオン状態の場合、ファン３０の多翼ファン３３が回転する。空気清浄機能付き照明装置１００は、底面カバー６０を備えるので、調理中に電化調理器や調理鍋などから発生する汚染空気は、照明部１０に直接触れることなく、吸気口５０ａから吸い込み補集され、油脂成分、煙、水分、臭気成分、などの汚染物質がそれぞれグリスフィルタ４１、脱煙フィルタ４２、脱臭フィルタ４３により分離除去され、ケース部５０の通風路５０ｃを通って、汚染空気を清浄化したクリーンな空気として、排気口５０ｂから室内に排気される。
【００３９】
＜底面カバー６０の取り外し動作、及び、取付け動作＞
次に、空気清浄機能付き照明装置１００の底面カバー６０の取り外し動作を説明する。
上述したように、底面カバー６０は、係合部６０ｄとケース部５０の被係合部５０ｄと、が係合することで、底面カバー６０がケース部５０に取付けられている。
底面カバー６０を取り外す場合、ユーザは、底面カバー６０をケース部５０に対して、底面カバー６０の中心を回転中心として、所定角度だけ回転させるなどの所定の動作を行うことで、ケース部５０の被係合部５０ｄに対して、底面カバー６０の係合部６０ｄを被係合状態として、底面カバー６０を下方向に移動させて、ケース部５０から取り外す。
【００４０】
底面カバー６０を取り付ける場合には、上述した動作と逆の動作を行う。詳細には、ユーザは、底面カバー６０を、シェード２０の開口部２０ａを覆うように、下方から上方に向かって移動させ、ケース部５０の被係合部５０ｄに対して、底面カバー６０の係合部６０ｄを嵌合させたのち、底面カバー６０をケース部５０に対して、底面カバー６０の中心を回転中心として、取外し時と逆方向に所定角度だけ回転させるなどを行うことで、ケース部５０の被係合部５０ｄと、底面カバー６０の係合部６０ｄとが係合状態となる。  この際、底面カバー６０の外周部６０ｂがシェード２０の内面２０ｆに当接した状態となる。
底面カバー６０の取付構造は、上述した構造に限られるものではない。例えば、ネジなどの固定部材により、底面カバー６０をケース部５０に取付け固定してもよい。
【００４１】
＜整流板８０＞
図５は、本発明の他の実施形態に係る空気清浄機能付き照明装置１００の断面図であり、図６は、図５に示した空気清浄機能付き照明装置１００の斜視図である。
次に、図５、図６を参照しながら、整流板８０を備えた空気清浄機能付き照明装置１００を説明する。図５、図６に示した空気清浄機能付き照明装置１００において、図２、図３、図４に示した例と同じ構成要素については同じ符号を付して説明を簡略とする。
【００４２】
図５、図６に示したように、空気清浄機能付き照明装置１００は、底面カバー６０の通気部６０ａの吸気側に配置された整流板８０を有する。整流板８０は、支持部材（不図示）によりケース部５０などに着脱自在に取付けられている。
この整流板８０と底面カバー６０との間に吸入流路８０１が形成されている。また整流板８０は、底面視で底面カバー６０の底面視と略相似形状に形成されている。本実施形態では、底面カバー６０は底面視で円形状に形成され、整流板８０は底面視で円形状に形成され、整流板８０の直径が、底面カバー６０の外周部６０ｂの直径よりも小さい。また、整流板８０は、ケース部５０の吸気口５０ａの直径やグリスフィルタ４１の直径よりも大きい。このため、真下または真下から僅かに水平方向にずれた位置では、整流板８０により、ケース部５０の吸気口５０ａやグリスフィルタ４１を視認できないように構成されている。
【００４３】
図５に示した空気清浄機能付き照明装置１００は、底面カバー６０と整流板８０により形成される吸入流路８０１が全方向（整流板の中心として水平面で全方向）で均一となるように構成され、照明装置１００の周囲から上記全方向で均等に空気を吸い込むことができる。
また、図５に示したように、底面カバー６０は、径方向断面凸形状に形成され、照明部近傍に段部６０ｃを有しており、整流板８０の外周端部が段部６０ｃの近傍位置に所定距離、例えば、吸気口５０ａと整流板８０との間の距離と略同じ距離となるように配置されている。このため、整流板８０の外周端部と底面カバー６０の段部６０ｃとの間で、空気の吸込み流速が比較的高い。すなわち、図５に示した空気清浄機能付き照明装置１００は、図２、図３に示した照明装置と比較して、高効率で汚染空気を捕集することができる。
【００４４】
図７は、本発明の他の実施形態に係る空気清浄機能付き照明装置１００の斜視図、図８は、図７に示した空気清浄機能付き照明装置１００の断面図、図９は、図７に示した空気清浄機能付き照明装置１００の分解斜視図をそれぞれ示す。
図７、図８、図９に示した空気清浄機能付き照明装置１００において、上述した実施形態と同様な構成要素については説明を簡略とする。
図７、図８、図９に示した空気清浄機能付き照明装置１００は、照明部１０と、シェード（傘部）２０と、ファン（送風機）３０と、フィルタ４０と、ケース部５０と、底面カバー６０と、などを有する。尚、排気方向調整部７０、制御部９０、リモートコントローラ用受光部９１などについては説明を省略する。
【００４５】
図７、図８、図９に示した空気清浄機能付き照明装置１００は、シェード２０が略円筒形状に形成され、下方に開口部２０ａが形成されている。
円筒形状に形成されたフィルタ収容ケース部５１の上部には、ファン収容ケース部５２が設けられている。本実施形態では、ファン収容ケース部５２がフィルタ収容ケース部５１よりも大径に形成されている。照明部１０は、フィルタ収容ケース部５１の周囲に配置されるように、ファン収容ケース部５２に固定されている。
排気口２０ｐは、シェード２０の上部中央から径方向に所定距離だけ離れた位置に形成された平坦部２０ｄに設けられている。また、排気口５０ｂは、ファン収容ケース部５２の平坦部２０ｄに対応する位置に設けられている。
シェード２０の上部中央には、上部が覆われた円筒形状のカバー部材７５が設けられている。
【００４６】
底面カバー６０は、中央部に形成された通気部６０ａとしての開口部と、その通気部６０ａから径方向外側に水平方向に延出した平坦部６０ｇ、平坦部６０ｇから下方に向けて湾曲した傾斜面６０ｈと、その傾斜面６０ｈから径方向外側に向けて延びる平坦部６０ｍと、平坦部６０ｍから外周部６０ｂに亘って上方に折り返された折返部６０ｎとを有する。
この底面カバー６０は、外周部６０ｂがシェード２０の外周端部２０ｅ近傍の内面に当接するように、着脱自在に取付けられる。
【００４７】
上記空気清浄機能付き照明装置１００は、ファン３０の駆動モータ３２がオン状態の場合、詳細には、ファン３０の多翼ファン３３が回転した場合、吸気口５０ａから汚染空気を吸い込み補集し、油脂成分、煙、水分、臭気成分、などの汚染物質をそれぞれグリスフィルタ４１、脱煙フィルタ４２、脱臭フィルタ４３で分離除去し、ケース部５０の通風路５０ｃを介して汚染空気を清浄化したクリーンな空気として、排気口５０ｂから室内に排気する。
【００４８】
以上、説明したように、本発明の実施形態に係る空気清浄機能付き照明装置１００は、回転駆動により送風可能なファン３０と、吸気口５０ａと排気口５０ｂとの間に通風路５０ｃを形成した略筒形状のケース部５０と、ケース部５０において、ファン３０の吸気側または排気側に設けられ、ファン３０の送風により空気清浄を行うフィルタ４０と、ケース部５０の周囲に設けられた照明部１０と、ケース部５０および照明部１０を収容するとともに、ケース部５０の吸気側に開口部２０ａを備えるシェード２０と、シェード２０の開口部２０ａを覆う状態で着脱可能に取り付けられ、ケース部５０の吸気口５０ａへ連通する通気部６０ａを備える光透過性の底面カバー６０とを有する。
このように、空気清浄機能付き照明装置１００は、調理中に電化調理器や調理鍋などから発生する汚染空気を吸い込み捕集し、汚染空気中に含まれている油脂分、煙、臭気成分、水分などの汚染物質を、フィルタ４０により分離除去して、汚染空気を清浄化したクリーンな空気として室内に戻すことができる。
また、底面カバー６０が、シェード２０の開口部２０ａを覆う状態で着脱可能に設けられているので、簡単な構成で、良好なメンテナンス性を有する空気清浄機能付き照明装置１００を提供することができる。
詳細には、底面カバー６０を取り外して、容易に底面カバー６０の清掃を行うことができる。また、底面カバー６０を取り外した状態で、容易に照明部１０を交換することができる。
【００４９】
また、空気清浄機能付き照明装置１００は、照明部１０が、シェード２０とケース部５０と底面カバー６０とで囲まれる空間（照明部１０の収容空間２１０）に収容されるように構成されており、底面カバー６０により照明部１０と吸入流路８０１とを分離した構造となっている。このため、汚染空気が照明部１０に接触することなく、底面カバー６０の通気部６０ａ、ケース部５０の吸気口５０ａ、およびフィルタ４０を介して、ケース部５０の排気口５０ｂから照明装置１００の外部に排出することができ、照明部１０の汚れを低減することができる空気清浄機能付き照明装置１００を提供することができる。
【００５０】
また、本発明の実施形態に係る空気清浄機能付き照明装置１００は、底面カバー６０が、中央部に形成された通気部６０ａとしての開口部から下方に向かって拡径し、且つ、照明部１０を収容する空間に向かって径方向断面略凸形状に形成されている。このため、調理中の電化調理器や調理鍋などから発生する汚染空気を、容易に吸い込み捕集することができる。
また、本発明の実施形態に係る空気清浄機能付き照明装置１００は、底面カバー６０が、通気部６０ａと外周部６０ｂの中間部分で、照明部１０の近傍に、その照明部１０に対して所定距離を確保する段部６０ｃを有する。
すなわち、段部６０ｃは、照明部１０を配置するスペースを確保するとともに、底面カバー６０の照明部１０近傍領域で局所的に高温となることを防止することができる。
また、底面カバー６０に段部６０ｃを設けたので、底面カバー６０を通して照明部１０を見た時、段部６０ｃにより、照明部１０の形状をそのまま視認できることを防止することができる空気清浄機能付き照明装置１００を提供することができる。また、底面カバー６０を半光透過性部材により形成することで、照明部１０の形状をぼかして視認させることができる。
【００５１】
また、本発明の実施形態に係る空気清浄機能付き照明装置１００は、底面カバー６０の外周部６０ｂがシェード２０の内面、詳細には、シェード２０の外周端部２０ｅ近傍の内面に当接しているので、簡単な構成で、汚染空気が照明部１０の収容空間２１０に流入することを容易に防止することができる空気清浄機能付き照明装置１００を提供することができる。
【００５２】
また、本発明の実施形態に係る空気清浄機能付き照明装置１００は、底面カバー６０の通気部６０ａの吸気側に配置された整流板８０を有し、整流板８０と底面カバー６０との間に吸入流路８０１が形成されている。
このため、上記整流板８０により、整流板８０の外周縁部と底面カバー６０との間に、汚染空気の吸込み流速を高める吸込み間隙を確保し、上昇に伴って広がる傾向にある汚染空気を取り逃がすことなく、汚染空気の吸込み捕獲効率の高い空気清浄機能付き照明装置１００を提供することができる。
【００５３】
また、本発明の実施形態に係る空気清浄機能付き照明装置１００は、整流板８０が、底面視で底面カバー６０の底面視と略相似形状に形成されている。このため、上記整流板８０と底面カバー６０とにより形成される吸込口流路が全方向に対して均一であり、周囲から均等なバランスでの吸込みが可能となる。
具体的には、底面視で、底面カバー６０が円形状に形成され、整流板８０が円形状に形成されており、底面カバー６０と整流板８０により形成される吸込口流路が全方向に対して均一であり、周囲から均等なバランスでの吸込みが可能となっている。
【００５４】
また、本発明の実施形態に係る空気清浄機能付き照明装置１００は、底面カバー６０とシェード２０とケース部とで囲まれる空間に設けられたリモートコントローラ用受光部９１と、リモートコントローラ用受光部９１で受信した信号に基づいて、ファンの回転駆動処理や照明部１０の照明処理などを行う制御部９０とを有する。
このため、底面カバー６０によりリモートコントローラ用受光部９１が吸入流路８０１とを分離した構造となっているので、リモートコントローラ用受光部９１が汚染空気に接触することがない。つまり、リモートコントローラ用受光部９１が汚染空気により汚れることを防止することができる空気清浄機能付き照明装置１００を提供することができる。
【００５５】
整流板８０が、底面視で底面カバー６０の底面視と略相似形状に形成されている。
整流板８０を備え、整流板８０の外周縁部と底面カバー６０との間に、汚染空気の吸込み流速を高める吸込み間隙を確保し、上昇に伴って広がる傾向にある汚染空気を取り逃がすことなく、汚染空気の吸込み捕獲効率の高い空気清浄機能付き照明装置１００を提供することができる。
【００５６】
また、本発明の実施形態に係る空気清浄機能付き照明装置１００は、天井７０１に直接、または、天井７０１から吊下げた状態で天井７０１に対して間隔をあけて設置され、ケース部５０の吸気口５０ａが下側に配置されている。
このため、照明装置１００の下方から汚染空気を吸い込み、照明装置１００の上方から清浄された空気を室内に吹き出すことができる空気清浄機能付き照明装置１００を提供することができる。
【００５７】
以上、本発明の実施形態について図面を参照して詳述してきたが、具体的な構成はこれらの実施形態に限られるものではなく、本発明の要旨を逸脱しない範囲の設計の変更等があっても本発明に含まれる。
例えば、底面カバー６０はシェード２０の内面に当接している形態を実施形態として説明したが、底面カバー６０とシェード２０の内面との間には多少の隙間があっても良いものである。すなわち、ファン３０による吸引が行われているため、底面カバー６０周辺の流れは通気部６０ａへと向かって流れているため、底面カバー６０とシェード２０との間に多少の隙間が存在しても汚染空気が照明部１０の収容される空間には入り込むことはほとんどなく、照明部１０の汚れを低減することができる。つまり、底面カバー６０がシェード２０の開口部を覆う状態とは、多少の隙間が存在することも含むものである。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００５８】
また、上述した実施形態では、天井から吊り下げ式の空気清浄機能付き照明装置１００を説明したが、この形態に限られるものではない。例えば、空気清浄機能付き照明装置１００を９０度横向きに回転させた状態で、壁面などに設置してもよい。
【符号の説明】
【００５９】
１０  照明部
２０  シェード（傘部）
２０ａ  開口部（排気側開口部）
２０ｂ  開口部（吸気側開口部）
２０ｃ  固定部
２０ｄ  平坦部
２０ｅ  外周端部
２０ｆ  内面
２０ｐ  排気口
３０  ファン（送風機）
３１  ケーシング
３１ａ  吸気口
３１ｂ  排気口
３２  駆動モータ
３３  多翼ファン（シロッコファン）
４０  フィルタ
４１  グリスフィルタ
４２  脱煙フィルタ
４３  脱臭フィルタ
５０  ケース部
５０ａ  吸気口
５０ｂ  排気口
５０ｃ  通風路
５１  フィルタ収容ケース部
５１ｂ  排気口
５２  ファン収容ケース部
５２ａ  筒状本体部
５２ｂ  突出部
５２ｃ  側面部
５２ｄ  平坦部
５４  支持部材
６０  底面カバー
６０ａ  通気部
６０ｂ  外周部
６０ｃ  段部
６０ｄ  係合部
６０ｅ  平坦部
６０ｆ  突出部
６０ｇ  平坦部
６０ｈ  傾斜面
６０ｍ  平坦部
６０ｎ  折返部
７０  排気方向調整部
７５  カバー部材
８０  整流板
９０  制御部
９１  リモートコントローラ用受光部
９５  電源コード
９６  固定部材
１００  空気清浄機能付き照明装置
２１０  空間（照明部の収容空間）
７０１  天井
７０８  リモートコントローラ
８０１  吸入流路
【図１】
0006055605.tif 000002
【図２】
0006055605.tif 000003
【図３】
0006055605.tif 000004
【図４】
0006055605.tif 000005
【図５】
0006055605.tif 000006
【図６】
0006055605.tif 000007
【図７】
0006055605.tif 000008
【図８】
0006055605.tif 000009
【図９】
0006055605.tif 000010